(57)【要約】【課題】プリント回路基板の剥離、破壊を生じることなく安定して保持することができるとともに一層の小型化が可能なディスク装置を提供する。【解決手段】  矩形状の実装面１１を有した矩形箱状の筐体１０を備え、筐体内には、ディスク状の記録媒体、記録媒体を支持および回転させる駆動モータ、記録媒体に対して情報処理を行うヘッド、ヘッドを移動自在に支持しているとともに記録媒体に対して移動させるヘッドアクチュエータが配設されている。筐体の実装面に重ねて矩形状の制御回路基板１２が設けられている。制御回路基板および筐体に渡って貼付され保持シール８０が貼付され、制御回路基板の周縁部を覆っているとともに実装面に押え付けて保持している。【選択図】  図４
2006018907.tif 000002
【特許請求の範囲】
【請求項１】
矩形状の実装面を有した矩形箱状の筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内に設けられ、前記ヘッドを移動自在に支持しているとともに前記ヘッドを前記記録媒体に対して移動させるヘッドアクチュエータと、
前記筐体の実装面に重ねて設けられた矩形状の制御回路基板と、
前記制御回路基板の周縁部を覆って前記筐体に取り付けられ、前記制御回路基板の周縁部を前記実装面に押え付けた保持部材と、
を備えたディスク装置。
【請求項２】
矩形状の実装面を有した矩形箱状の筐体と、
前記筐体内に配設されたディスク状の記録媒体と、
前記筐体内に配設され、前記記録媒体を支持しているとともに回転させる駆動モータと、
前記記録媒体に対して情報処理を行うヘッドと、
前記筐体内に設けられ、前記ヘッドを移動自在に支持しているとともに前記ヘッドを前記記録媒体に対して移動させるヘッドアクチュエータと、
前記筐体の実装面に重ねて設けられた矩形状の制御回路基板と、
前記制御回路基板および前記筐体に渡って貼付され、制御回路基板の周縁部を覆っているとともに前記実装面に押え付けた保持シールと、
を備えたディスク装置。
【請求項３】
前記シールは、前記制御回路基板および前記筐体の外面に巻き付けて貼付され、前記制御回路基板の少なくとも対向する２つの側縁部を覆っている請求項２に記載のディスク装置。
【請求項４】
前記制御回路基板は、この制御回路基板の１辺に沿って設けられた接続端子を有し、
前記保持シールは、前記制御回路基板の前記１辺を除いて、制御回路基板の対向する２つの側縁部を覆っている請求項３に記載のディスク装置。
【請求項５】
前記筐体は前記実装面を形成した第１主面、および第１主面と対向した第２主面を有し、前記保持シールは、前記筐体の構体の前記第２主面、対向する２つの側面、および前記制御回路基板の周縁部を覆って貼付されている請求項２ないし４のいずれか１項に記載のディスク装置。
【請求項６】
前記実装面の角部を含む前記筐体の４つの角部は円弧状に形成され、
前記制御回路基板は、前記実装面の４つの辺にそれぞれ整列して延びた４つの辺と、それぞれ斜めに切欠かれ前記実装面の４つの角部を露出させた４つの角部とを有している請求項２ないし５のいずれか１項に記載のディスク装置。
【請求項７】
前記筐体は、第１シェル、およびこの第１シェルと対向して設けられ、第１シェルと共同して筐体を構成した第２シェルを有し、前記第１および第２シェルは、互いに対向した周縁部をそれぞれ有し、
前記筐体は、前記第１および第２シェルの周縁部に巻装され前記周縁部を互いに接続しているとともに、前記周縁部間の隙間を閉塞したシール材を備え、
前記保持シールは、前記シール材に重ねて貼付されている請求項２ないし６のいずれか１項に記載のディスク装置。
【請求項８】
前記保持シールは、シールド層を有している請求項２ないし７のいずれか１項に記載のディスク装置。
【請求項９】
前記保持シールはラベルが印刷された表面を有している請求項２ないし８のいずれか１項に記載のディスク装置。
【請求項１０】
前記筐体および制御回路基板は、長手方向の寸法が約３２ｍｍ、幅方向の寸法が約２４ｍｍ、筐体および制御回路基板を含む厚さが約３．３ｍｍに形成されている請求項１ないし９のいずれか１項に記載のディスク装置。
【請求項１１】
前記記録媒体は、直径０．８５インチに形成されている請求項１ないし１０のいずれか１項に記載のディスク装置。
【発明の詳細な説明】
【技術分野】
【０００１】
この発明は、記録媒体としてのディスクを有したディスク装置に関する。
【背景技術】
【０００２】
近年、コンピュータの外部記録装置や画像記録装置として磁気ディスク装置、光ディスク装置などのディスク装置が広く用いられている。  
ディスク装置として、例えば、磁気ディスク装置は、一般に、矩形箱状の筐体を有している。筐体内には、磁気記録媒体としての磁気ディスク、この磁気ディスクを支持および回転させる駆動手段としてのスピンドルモータ、磁気ディスクに対して情報の書き込み、読み出しを行なう複数の磁気ヘッド、これらの磁気ヘッドを磁気ディスクに対して移動自在に支持したヘッドアクチュエータ、ヘッドアクチュエータを回動および位置決めするボイスコイルモータ、ヘッドＩＣ等を有する基板ユニット等が収納されている。
【０００３】
筐体の外面には、基板ユニットを介してスピンドルモータ、ボイスコイルモータ、および磁気ヘッドの動作を制御するプリント回路基板がねじ止めされている。プリント回路基板の端部には、磁気ディスク装置を他の外部機器に接続するためのインターフェース（Ｉ／Ｆ）コネクタが半田付けされている。
【０００４】
磁気ディスク装置として、カード状に薄く形成され、例えばパーソナルコンピュータのカードスロットに装填可能としたものが提供されている（例えば、特許文献１）。このようなカード状の磁気ディスク装置では、従来の磁気ディスク装置に比較して薄型、かつ、小型にする必要があるため、板状のベースに種々の構成要素を実装するとともに、ベースの周縁に沿って支持枠を固定し、更に、この支持枠に板状のトップカバーを取付けている。また、ベースの裏面側にプリント回路基板を設け、プリント回路基板上のＩ／Ｆコネクタは、支持枠に設けられた専用の固定部材により位置決め保持されている。
【特許文献１】特開２００１−２１００５８号公報
【発明の開示】
【発明が解決しようとする課題】
【０００５】
近年、磁気ディスク装置は、より多種の電子機器、特に、より小型の電子機器の記録装置として用いることができるように、一層の小型化が進められている。例えば、ディスクの直径が１インチ以上の磁気ディスク装置において、筐体の表面に重ねて配置されるプリント回路基板は、筐体表面の面積よりも小さくすることができる。しかしながら、ディスクの直径が１インチ以下の磁気ディスク装置では、筐体の小型化に伴い、プリント回路基板を実装するための筐体表面も小さくなる。そのため、筐体表面のほぼ全面を覆った状態でプリント回路基板を設ける必要がある。また、小型の磁気ディスク装置においては、装置全体の厚さを薄くするため、プリント回路基板自体も薄く形成され、強度的に弱くなっている。
【０００６】
このような磁気ディスクでは、プリント回路基板の周縁部が浮き上がり易く、また、磁気ディスク装置の側縁部を保持した場合、プリント回路基板の周縁部が剥離もしくは破壊するという虞がある。特に、磁気ディスク装置を小型化する上で、プリント回路基板のねじ止め箇所は少ないほうが望ましい。その反面、ねじ止め箇所を低減すると、プリント回路基板を浮き上がり無く確実に固定することが困難となる。
【０００７】
この発明は以上の点に鑑みなされたもので、その目的は、プリント回路基板の剥離、破壊を生じることなく安定して保持することができるとともに一層の小型化が可能なディスク装置を提供することにある。
【課題を解決するための手段】
【０００８】
上記目的を達成するため、この発明に係るディスク装置は、矩形状の実装面を有した矩形箱状の筐体と、前記筐体内に配設されたディスク状の記録媒体と、前記筐体内に配設され、前記記録媒体を支持しているとともに回転させる駆動モータと、前記記録媒体に対して情報処理を行うヘッドと、前記筐体内に設けられ、前記ヘッドを移動自在に支持しているとともに前記ヘッドを前記記録媒体に対して移動させるヘッドアクチュエータと、前記筐体の実装面に重ねて設けられた矩形状の制御回路基板と、前記制御回路基板の周縁部を覆って前記筐体に取り付けられ、前記制御回路基板の周縁部を前記実装面に押え付けた保持部材と、を備えている。
【０００９】
この発明の他の態様に係るディスク装置は、矩形状の実装面を有した矩形箱状の筐体と、前記筐体内に配設されたディスク状の記録媒体と、前記筐体内に配設され、前記記録媒体を支持しているとともに回転させる駆動モータと、前記記録媒体に対して情報処理を行うヘッドと、前記筐体内に設けられ、前記ヘッドを移動自在に支持しているとともに前記ヘッドを前記記録媒体に対して移動させるヘッドアクチュエータと、前記筐体の実装面に重ねて設けられた矩形状の制御回路基板と、前記制御回路基板および前記筐体に渡って貼付され、制御回路基板の周縁部を覆っているとともに前記実装面に押え付けた保持シールと、を備えている。
【発明の効果】
【００１０】
以上詳述したように、この発明によれば、プリント回路基板の剥離、破壊を生じることなく安定して保持することが可能な小型のディスク装置を提供することができる。
【発明を実施するための最良の形態】
【００１１】
以下図面を参照しながら、この発明をハードディスクドライブ（以下ＨＤＤと称する）に適用した第１の実施形態について詳細に説明する。  
図１および図２に示すように、ＨＤＤは後述する種々の部材が収納されたほぼ矩形箱状の筐体１０と、筐体１０の実装面に重ねて設けられた矩形状の制御回路基板１２と、を備えている。筐体１０および制御回路基板１２は、例えば、長さＬが３２ｍｍ、幅Ｗが２４ｍｍに形成され、筐体および制御回路基板を含む厚さＴが５ｍｍあるいは３．３ｍｍ程度に形成されている。
【００１２】
図１、図２、図４ないし図６に示すように、ＨＤＤの本体を構成した筐体１０は、互いにほぼ等しい寸法に形成された第１シェル１０ａおよび第２シェル１０ｂにより構成されている。第１および第２シェル１０ａ、１０ｂは、それぞれ金属によりほぼ矩形状に形成され、周縁部には側壁が立設されている。第１および第２シェル１０ａ、１０ｂは、その周縁部同士が対向した状態で、互いに向い合わせて配置されている。第１および第２シェル１０ａ、１０ｂの周縁部には帯状のシール材１６が巻き付けられ、このシール材により周縁部が互いに接続されているとともに、周縁部間の隙間がシールされている。これにより、矩形箱状の筐体１０が構成されている。
【００１３】
第１シェル１０ａの外面は筐体１０の第１主面として機能し、この第１主面は矩形状の
実装面１１を形成している。第２シェル１０ｂの外面は矩形状に形成され筐体１０の第２主面１３を構成し、実装面１１と対向している。実装面１１および第２主面１３の角を含む筐体１０の４つの角は円弧状に丸めて形成されている。これにより、筐体１０の周縁部に巻装されたシール材１６が、筐体の角で損傷することを防止しているとともに、シール材の浮きによる気密性の悪化を防止している。
【００１４】
図２および図３に示すように、筐体１０内において、筐体の周縁部には複数の支持ポスト１８が設けられている。各支持ポスト１８は、第１シェル１０ａの内面に固定された基端を有し、第１シェルの内面に対してほぼ垂直に立設されている。各支持ポスト１８の位置で、実装面１１にねじ孔が形成され、支持ポスト内まで延びている。
【００１５】
筐体１０内には、情報記録媒体として機能する例えば、０．８５インチの磁気ディスク２０、この磁気ディスクを支持および回転させる駆動モータとしてのスピンドルモータ２２、磁気ディスクに対して情報の書き込み、読み出しを行なう磁気ヘッド２４、磁気ディスク２０に対して磁気ヘッドを移動自在に支持したキャリッジ２６、キャリッジを回動および位置決めするボイスコイルモータ（以下ＶＣＭと称する）２８、磁気ヘッドが磁気ディスクの周縁部に移動した際、磁気ヘッドを磁気ディスクから離間した位置にアンロードして保持するランプロード機構３０、キャリッジを退避位置に保持する電磁ラッチ３２、およびヘッドＩＣ等を有する基板ユニット３４等が収納されている。
【００１６】
スピンドルモータ２２は、第１シェル１０ａに取り付けられている。スピンドルモータ２２は枢軸３６を有し、この枢軸は第１シェル１０ａの内面に固定され、この内面に対してほぼ垂直に立設されている。枢軸３６の延出端は、第２シェル１０ｂの外側からねじ込まれた固定ねじ３７により第２シェルにねじ止めされている。これにより、枢軸３６は第１および第２シェル１０ａ、１０ｂに両持ち支持されている。
【００１７】
枢軸３６には、図しない軸受を介してロータが回転自在に支持されている。ロータの第２シェル１０ｂ側の端部は円柱形状のハブ４３を構成し、このハブには、磁気ディスク２０が同軸的に嵌合されている。ハブ４３の端部には、環状のクランプリング４４が嵌合されて、磁気ディスク２０の円周縁部を保持している。これにより、磁気ディスク２０はロータに固定され、ロータと一体的に回転可能に支持されている。
【００１８】
ロータの第１シェル１０ａ側の端部には図示しない環状の永久磁石が固定され、ロータと同軸的に位置している。スピンドルモータ２２は、第１シェル１０ａに取り付けられた図示しないステータコア、およびこのステータコアに巻回された複数のコイルを有し、これらステータコアおよびコイルは、永久磁石の外側に隙間を置いて配置されている。
【００１９】
ヘッドアクチュエータを構成するキャリッジ２６は、第１シェル１０ａの内面上に固定された軸受組立体５２を備えている。軸受組立体５２は、第１シェル１０ａの内面に対して垂直に立設された枢軸５３と、一対の軸受を介して枢軸５３に回転自在に支持された円筒形状のハブ５４と、を有している。枢軸５３の延出端は、第２シェル１０ｂの外側からねじ込まれた固定ねじ５６により第２シェルにねじ止めされている。これにより、枢軸５３は第１および第２シェル１０ａ、１０ｂに両持ち支持されている。
【００２０】
キャリッジ２６は、ハブ５４から延出したアーム５８、アームの先端から延出した細長い板状のサスペンション６０、ハブ５４からアームと反対方向に延出した支持フレーム６２を備えている。サスペンション６０の延出端には、図示しないジンバル部を介して磁気ヘッド２４が支持されている。磁気ヘッド２４はサスペンション６０のばね力により磁気ディスク２０表面に向かって所定のヘッド荷重が印加されている。支持フレーム６２には、ＶＣＭ２８を構成するボイスコイル６４が一体的に固定されている。
【００２１】
キャリッジ２６を軸受組立体５２の回りで回動させるＶＣＭ２８は、第１シェル１０ａ上に固定され互いに隙間を置いて対向した一対のヨーク６３と、一方のヨークの内面に固定されボイスコイルに対向した図示しない磁石と、を備えている。ボイスコイル６４に通電することにより、キャリッジ２６は、図３に示す退避位置と磁気ディスク２０の表面上との間で磁気ディスク上を回動し、磁気ヘッド２４は磁気ディスク２０の所望のトラック上に位置決めされる。第１シェル１０ａに固定された電磁ラッチ３２は、退避位置に移動したキャリッジ２６をラッチし、ＨＤＤが衝撃等の外力を受けた際、キャリッジ２６が退避位置から作動位置へ移動することを防止する。
【００２２】
ランプロード機構３０は、第１シェル１０ａの内面に固定され磁気ディスク２０の周縁部と対向して位置したランプ部材７０と、サスペンション６０の先端から延出し係合部材として機能するタブ７２と、を備えている。ランプ部材７０は板材を折り曲げて形成され、タブ７２が係合可能なランプ面７３を有している。キャリッジ２６が磁気ディスク２０の内周部から磁気ディスク外周の退避位置まで回動すると、タブ７２は、ランプ部材７０のランプ面７３に係合し、その後、ランプ面の傾斜によって引き上げられ、磁気ヘッド２４のアンロード動作を行う。キャリッジ２６が退避位置まで回動すると、タブ７２はランプ部材７０のランプ面７３上に支持され、磁気ヘッド２４は磁気ディスク２０の表面から離間した状態に保持される。
【００２３】
基板ユニット３４は、フレキシブルプリント回路基板により形成された本体４０ａを有し、この本体３４ａは第１シェル１０ａの内面に固定されている。本体３４ａ上にはヘッドＩＣ、ヘッドアンプ等の電子部品が実装されている。基板ユニット３４は本体４０ａから延出したメインフレキシブルプリント回路基板（以下、メインＦＰＣと称する）４１を有している。メインＦＰＣ４１の延出端は、キャリッジ２６の軸受組立体５２近傍に接続され、更に、アーム５８およびサスペンション６０上に設けられた図示しないケーブルを介して磁気ヘッド２４に電気的に接続されている。基板ユニット３４の本体底面には制御回路基板１２と接続するためのコネクタ３４ｃが実装されている。このコネクタ３４ｃは、第１シェル１０ａに形成された開孔を介して第１シェルの実装面１１に露出している。
【００２４】
図２、図４、および図６に示すように、プリント回路基板からなる制御回路基板１２は筐体１０の実装面１１とほぼ等しいの長さおよび幅を有した矩形状を有している。筐体１０の実装面１１には、スピンドルモータ２２に対応した円形の凸部７０ａ、および軸受組立体５２に対応した円形の凸部７０ｂがそれぞれ形成されている。制御回路基板１２には、これらの凸部７０ａ、７０ｂにそれぞれ対応した円形の開口７２ａ、７２ｂが形成されている。また、制御回路基板１２上には、複数の電子部品７４、コネクタ７１が実装されているとともに、制御回路基板１２の一方の短辺に沿って複数の接続端子７９が形成されている。接続端子７９には、ＨＤＤを外部機器と電気的に接続するためのフレキシブルプリント回路基板７６が接続されている。フレキシブルプリント回路基板７６は制御回路基板１２の一方の短辺から外方に引き出され、その延出端には複数の接続端子７５が形成されている。また、制御回路基板１２の４つの角部は、それぞれ斜めに、例えば、各辺に対して４５度の角度で斜めに切欠かれ、それぞれ切欠き部７７を形成している。
【００２５】
上記のように形成された制御回路基板１２は、筐体１０の実装面１１に重ねて配置され、複数のねじにより第１シェル１０ａにねじ止めされている。この際、制御回路基板１２は、４つの辺が実装面１１の４辺とそれぞれ整列した状態、つまり、実装面１１の４辺と一致した状態で配置されている。実装面１１に形成された凸部７０ａ、７０ｂは、それぞれ制御回路基板１２の開口７２ａ、７２ｂ内に配置されている。制御回路基板１２上に実装されたコネクタ７１は、基板ユニット３４のコネクタ３４ｃに接続される。
【００２６】
制御回路基板１２の４つの角部に形成された切欠き部７７は、それぞれ実装面１１の４つの角部に位置している。これにより、実装面１１の４つの角部は制御回路基板１２によって覆われることなく外部に露出している。実装面１１の露出した４つの角部を含む筐体１０の角部は、制御回路基板１２に接触することなく筐体を保持するための保持部７８をそれぞれ構成している。
【００２７】
図１、図４および図５に示すように、筐体１０の外面および制御回路基板１２に渡って保持シール８０が貼付されている。図７に示すように、保持シール８０は保持部材として機能し、例えば、ポリエチレンテレフタレートからなる第１および第２層８０ａ、８０ｂ、第１および第２層間に挟めれたシールド層８０ｃ、および第１層の外面に形成された接着剤層８０ｄを積層して形成されている。シールド層８０ｃは例えばアルミニウムを蒸着して形成されている。
【００２８】
図１、図４および図５に示すように、保持シール８０は、筐体１０の第２主面１３に対応した寸法に形成された矩形状の本体８１と、本体の４辺からそれぞれ延出した複数の延出部８２ａ、８２ｂ、８２ｃ、８２ｄ、８２ｅを一体に有している。本体８１には、軸受組立体５２と対向する位置に設けられた円形の透孔８３および図示しないエアフィルタと対向する位置に設けられた円形の透孔８４が形成されている。
【００２９】
保持シール８０の本体８１は、その接着剤層８０ｄが筐体１０に接触した状態で、筐体の第２主面１３ほぼ全体に貼付されている。透孔８３は、軸受組立体５２と対向して位置している。なお、筐体１０の第２主面１３において、軸受組立体５２と対向する位置には、ねじ孔を封印した円形の封印シール８５が貼付され、透孔８３内に位置している。
【００３０】
延出部８２ａは、筐体１０の長辺側の側面および制御回路基板１２の長辺側の側縁部に巻き付けるように貼付され、シール材１６および制御街路基板の側縁部を外側から覆っている。延出部８２ａと反対側に位置した延出部８２ｂおよび８２ｃは、筐体１０の他方の長辺側側面および制御回路基板１２の他方の側縁部に巻き付けるように貼付され、シール材１６および制御街路基板の側縁部を外側から覆っている。
【００３１】
延出部８２ｄは、筐体１０の短辺側の側面および制御回路基板１２の短辺側の側縁部に巻き付けるように貼付され、シール材１６および制御街路基板の側縁部を外側から覆っている。また、延出部８２ｄは、筐体１０の他方の短辺側の側面に貼付され、シール材１６を外側から覆っている。
【００３２】
これにより、制御回路基板１２において、接続端子７９が設けられている側縁部を除き、対向する一対の長辺側側縁部、および接続端子７９と反対側に位置した短辺側側縁部は、保持シール８０によって覆っているとともに、実装面１１側に押え付けた状態で保持されている。なお、制御回路基板１２の角部を含む筐体１０の４つの角部は、保持シール８０によって覆われることなく露出している。図１に示すように、保持シール８０の表面、つまり、第２層８０ｂの外面は、文字、図柄等を印刷可能であり、保持シールをラベルとしても機能する。
【００３３】
以上のように構成されたＨＤＤによれば、筐体１０の外面および制御回路基板１２の外面に渡って保持シール８０が貼付されている。そして、制御回路基板１２の対向する少なくとも２つの側縁部は、保持シール８０によって覆われているとともに筐体１０の実装面１１側に押え付けられた状態で保持されている。従って、薄く強度の低い制御回路基板１２の周縁部を保持シール８０よって保護し、制御回路基板の周縁部の浮き、剥がれ、破壊を防止することができる。制御回路基板１２を筐体１０に固定するねじの数を減らした場合でも、保持シール８０により制御回路基板を安定して保持することが可能となる。同時に、制御回路基板１２を固定するねじの数を低減し、ＨＤＤの一層の小型化を図ることができる。
【００３４】
本実施形態において、保持シール８０はシールド層８０ｃを有している。そのため、保持シール８０により、ＨＤＤ内から発生するノイズ、および外部からＨＤＤ内に侵入するノイズをシールドすることができ、ＨＤＤの信頼性向上を図ることができる。
【００３５】
実装面１１の角部を含む筐体１０の角部は円弧状に形成され、また、実装面上に設けられた制御回路基板１２の４つの角部は斜めに切欠かれ、それぞれ切欠き部７７を形成している。そして、実装面１１の露出した４つの角部を含む筐体１０の角部は、筐体を保持するための保持部７８をそれぞれ構成している。そのため、例えば、ＨＤＤを他の電子器機内に実装する際、制御回路基板１２に接触することなく筐体１０の４つの保持部７８を保持した状態で実装することができる。従って、制御回路基板１２を薄く形成し、かつ、角部を除いて、実装面１１の全面に重ねて制御回路基板を配置した場合でも、制御回路基板に機械的な負荷が作用することを防止し、制御回路基板の剥離、破壊を生じることなくＨＤＤを安定して保持することができる。
【００３６】
筐体１０を構成した第１および第２シェル１０ａ、１０ｂは、一方のシェルに立設された支持ポスト１８により互いに所定の隙間を置いて対向支持されている。そのため、筐体１０に外力が作用した場合でも、筐体１０および内部に収納された構成要素の損傷を防止することができる。支持ポスト１８を用いることにより、第１および第２シェル１０ａ、１０ｂ間のねじ止め箇所を少なくし、組立性、メインテナンス性を向上することが可能となる。
【００３７】
上記のように構成されたカード状かつ携帯可能なＨＤＤは、例えば、携帯電話機、デジタルカメラ、ビデオカメラ、パーソナルデジタルアシスタント（ＰＤＡ）等、種々の電子機器の記録装置として用いることができる。
【００３８】
なお、上述した第１の実施形態において、保持シール８０は、本体８１を筐体２の第２主面１３に貼付し、複数の延出部を第２主面側から筐体の側面および制御回路基板１２の周縁部に巻き付けるように貼付する構成とした。しかしながら、保持シール８０は、本体８１を制御回路基板１２のほぼ全面に貼付し、複数の延出部を制御回路基板側から筐体の側面および第２主面１３の周縁部に巻き付けるように貼付した構成としていもよい。また、上述した実施形態では、保持シールにより制御回路基板１２の３辺の側縁部を覆う構成としたが、これに限らず、制御回路基板の対向する少なくとも２つの側縁部を覆うことにより充分な基板保持効果を発揮することができる。
【００３９】
図８ないし図１０に示す第２の実施形態のように、ＨＤＤの保持部材として、保持シールに代えて取り付け補助具１２０を用いてもよい。取り付け補助具１２０は、筐体１０の外周部および制御回路基板１２の外周部に嵌合された矩形枠状の本体１２２と、本体の角部にそれぞれ固定された４つのブラケット１２５と、を有している。本体１２２は、ゴム、合成樹脂等の弾性材料で形成され、筐体１０の周縁部に弾性的に嵌合されている。本体１２２はほぼチャネル状の断面形状を有し、シール材１６に重ねて筐体１０の側面を覆っているとともに、筐体１０の第２主面１３周縁部、および制御回路基板１２の周縁部を覆っている。
【００４０】
各ブラケット１２５は例えばゴム、合成樹脂等により形成されている。各ブラケット１２５は、本体１２２の各角部に外側から嵌合され、本体の角部上下から本体内に突出した一対の係合部１２８と、外方に延出した脚部１２４とを一体に備えている。一対の係合部１２８は所定の隙間を置いて互いに対向している。これらの係合部１２８は、筐体１０の保持部７８を上下から挟んだ状態で筐体に係合している。この際、係合部１２８は、制御回路基板１２に接触することなく筐体１０に係合している。脚部１２４には透孔１２６が形成され、この透孔１２６には、例えば、ＨＤＤ８を電子機器の装着部に取り付けるためのねじを挿通可能となっている。
【００４１】
本体１２２の一側壁には、スリット１３０が形成されている。制御回路基板１２から延出し接続ケーブルを構成したフレキシブルプリント回路基板７６は、本体１２２のスリット１３０を通して外方に引き出されている。  
第２の実施形態において、ＨＤＤの他の構成は前述した第１の実施形態と同一であり、同一の部分には同一の参照符号を付してその詳細な説明を省略する。
【００４２】
以上のように構成されたＨＤＤによれば、制御回路基板１２の周縁部は、取り付け補助具１２０の本体１２２によって覆われているとともに筐体１０の実装面１１側に押え付けられた状態で保持されている。従って、薄く強度の低い制御回路基板１２の周縁部を取り付け補助具１２０よって保護し、制御回路基板の周縁部の浮き、剥がれ、破壊を防止することができる。制御回路基板１２を筐体１０に固定するねじの数を減らした場合でも、保持シール８０により制御回路基板を安定して保持することが可能となる。同時に、制御回路基板１２を固定するねじの数を低減し、ＨＤＤの一層の小型化を図ることができる。
【００４３】
また、取り付け補助具１２０をＨＤＤに装着することにより、ＨＤＤを電子機器内の所望の位置に容易に取り付けることが可能となる。同時に、接続端子７５が設けられているフレキシブルプリント回路基板７６の延出端部は、保持突起１３２により所定位置に保持されているため、電子機器側と容易にかつ確実に電気的接続が可能となる。
【００４４】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
例えば、保持シールの材質は、前述した実施形態に限定されることなく、種々選択可能である。また、保持シールのシールド層は省略してもよい。磁気ディスクの枚数は１枚に限らず、必要に応じて増加可能である。磁気ディスクは、０．８５インチに限らず、１．８インチあるいは２．５インチとしてもよい。また、制御回路基板は、接続ケーブルに代えて、外部機器と接続するためのコネクタを備えた構成としてもよい。
【図面の簡単な説明】
【００４５】
【図１】この発明の第１の実施形態に係るＨＤＤを示す斜視図。
【図２】前記ＨＤＤの分解斜視図。
【図３】前記ＨＤＤの筐体および内部構造を示す平面図。
【図４】前記ＨＤＤの制御回路基板側を示す斜視図。
【図５】図１の線Ａ−Ａに沿ったＨＤＤの断面図。
【図６】前記ＨＤＤの筐体、制御回路基板、および保持シールを示す分解斜視図。
【図７】前記保持シールの一部を拡大して示す断面図。
【図８】この発明の第２の実施形態に係るＨＤＤを示す斜視図。
【図９】前記第２の実施形態に係るＨＤＤを示す分解斜視図。
【図１０】図８の線Ｂ−Ｂに沿ったＨＤＤの断面図。
【符号の説明】
【００４６】
１０…筐体、  １０ａ…第１シェル、  １０ｂ…第２シェル、
１２…制御回路基板、  １８…支持ポスト、  ２０…磁気ディスク、
２２…スピンドルモータ、  ２４…磁気ヘッド、  ２６…キャリッジ、
２８…ＶＣＭ、  ３０…ランプロード機構、  ３４…基板ユニット、
８０…保持シール、  ８１…本体、
８２ａ、８２ｂ、８２ｃ、８２ｄ、８２ｅ…延出部、
７７…切欠き部７７、  ７８…保持部、  １２０…取り付け補助具
【図１】
2006018907.tif 000003
【図２】
2006018907.tif 000004
【図３】
2006018907.tif 000005
【図４】
2006018907.tif 000006
【図５】
2006018907.tif 000007
【図６】
2006018907.tif 000008
【図７】
2006018907.tif 000009
【図８】
2006018907.tif 000010
【図９】
2006018907.tif 000011
【図１０】
2006018907.tif 000012